(57)【特許請求の範囲】
【請求項１】
身体部分を撮像するための関心体積及び前記身体部分を後記ボア内に挿入するための入口開口を有する、開放ボア磁気共鳴装置“ＭＲＤ”であって、
前記ＭＲＤは、前記ボアから前記ＭＲＤの周囲の外部環境への及びその逆の電磁エネルギー伝播を低減するための電気的接地の施された保護スリーブを備え、
前記スリーブは、前記ボア内に挿入可能である遠位部分及び前記開口へ取り付けできる近位部分を有しており、前記スリーブの長さ及び直径は、前記ボア内の身体の撮像されるべきでない部分を受け入れる一方で撮像されるべき部分は前記スリーブ遠位端から突き出たままとなるように適合されている、ＭＲＤ。
【請求項２】
請求項１に記載のＭＲＤであって、前記スリーブの少なくとも一部は電気伝導性層を備える、ＭＲＤ。
【請求項３】
請求項１に記載のＭＲＤであって、前記スリーブの少なくとも一部は、以下のもののうち任意のものを外在保護接地システムへの接続のために備えるＭＲＤ：
・銅網、
・電気伝導性フック、
・電気伝導性ループ、
・布スリーブ、
・伝導性糸、及び、
・外側伝導条片。
【請求項４】
開放ボア磁気共鳴装置“ＭＲＤ”を用いる磁気共鳴撮像方法であって、前記方法は、
身体部分を撮像するための関心体積“ＶＯＩ”及び前記身体部分を前記ＶＯＩ内に挿入するための入口開口を備えるように前記開放ボアを提供する段階と、
身体の撮像されるべきでない部分を受け入れる長さ及び直径を有する保護スリーブを提供する段階と、
前記スリーブの近位端を前記開口へ取り付けておいてその遠位部分を前記ボア内に挿入する段階と、
前記スリーブを接地する段階と、
身体の撮像されるべき部分が前記ＶＯＩ内で前記スリーブ遠位端から突き出るように前記開口を通しておよび前記スリーブを通して身体部分を挿入することによって、前記ボアから前記ＭＲＤの周囲の外部環境への及びその逆の電磁エネルギー伝播を低減する、挿入する段階と、
前記身体の撮像されるべき部分を撮像する段階と、
を備える、方法。
【発明の詳細な説明】
【技術分野】
【０００１】
[0001]本発明は、ＭＲＤの磁石ボアから当該磁石の周囲の外部環境への及びその逆の電磁エネルギー伝播を低減するための、保護スリーブの様な手段及び方法に関連する。
【背景技術】
【０００２】
[0002]この発明は、高周波（ＲＦ）磁場を使用して関心領域を探る磁気共鳴撮像法（ＭＲＩ）の分野に関係する。それは特にＭＲＩシステムの内及び外から起こるＲＦ効果の遮蔽に向けられている。
【０００３】
[0003]ＭＲＩシステム内の構成部品の１つに、典型的なＭＲＩデータ収集シーケンスの一部であるＲＦコイルがある。適切な周波数のＭＲＩ  ＲＦ信号が撮像体積の中へ送信され、ＮＭＲ応答ＲＦ信号が次いで撮像体積から１つ又はそれ以上のＲＦコイル又はアンテナを介して受信される。受信されたＲＦ信号の周波数及び位相パラメーター内にコード化されている情報が次いで処理されて、ＭＲＩシステムの関心体積（ＶＯＩ）内の患者の断面又は体積内ＮＭＲ核分布を表現する視覚画像が形成される。
【０００４】
[0004]身体四肢を撮像することを意図しているＭＲＩ装置（ＭＲＤｓ）内では、ＭＲＩの中で検査しようとする部分だけがＭＲＩシステムのボア内に位置付けられるのに対し身体の残り部分はＭＲＩの外に留まる。その様な場合には、ＭＲＩの外の体積からのＲＦ信号が伝導性の身体及び検査対象の四肢を通して捕集されかねず、誘電特性を有していればそれがＲＦ信号の送受信器の働きをし、その結果、ＭＲＩ検査中の信号捕集にノイズが引き起こされないとも限らない。
【０００５】
[0005]加えて、ＭＲＩ内のＲＦ場が身体に電流を誘導し、誘導された電流が熱の形態をしたエネルギーに変換される、ということもあり得る。組織の加熱は、組織内の抵抗が原因であり、「オーム加熱」と呼ばれる。比吸収率（ＳＡＲ）は、ＭＲスキャナの中での患者加熱の潜在性を判定する場合の重要な変数であって、身体質量当たりの身体によって吸収されるＲＦパワーであり、概してＷ／ｋｇの単位で計測されている。ＳＡＲが熱的調整容量を超過すれば患者の体温は上昇するであろう。
【０００６】
[0006]米国特許第５，３０４，９３２号は、極めて薄い伝導性シールドをＲＦコイルとＭＲＩシステムの静的磁気構造の間に介在させて使用することによってＭＲＩのＲＦコイルを無関係なノイズから遮蔽することに向けられている。ＭＲＩ傾斜コイルの変化する磁束によってその様な導体に誘導される渦電流を制御するために、ＲＦシールド導体の厚さはＲＦコイルのＭＲＩ  ＲＦ作動周波数での３表皮深さより小さい。ＲＦシールド導体厚さはせいぜい１表皮深さ又はそれより小さいことが望ましい。
【０００７】
[0007]米国特許第７，８０１，６１３号は、改善された電気的性能、機械的強度、及び低減されたＭＲＩ加熱を提供する、チタン合金の植え込み式医療装置のハウジングに向けられている。
【０００８】
[0008]従って、ＭＲＩの磁石ボアから磁石の周囲の外部環境への及びその逆の電磁エネルギー伝播を低減することの必要性、内在ＲＦ場と外在ＲＦ場の間のバリアとして使用される有効なファラデー遮蔽を提供する保護手段の必要性、及びＭＲＤ近傍の身体四肢の非検査対象部分のＳＡＲを低減することの必要性が、以前より存在している。
【先行技術文献】
【特許文献】
【０００９】
【特許文献１】米国特許第５，３０４，９３２号
【特許文献２】米国特許第７，８０１，６１３号
【発明の概要】
【００１０】
[0009]従って、本発明の一目的は、開放ボアＭＲＤであって身体部分を撮像するための関心体積及び当該身体部分を当該ボア内に挿入するための入口開口を有する開放ボアＭＲＤでの、当該磁石ボアから当該磁石の周囲の外部環境への及びその逆の電磁エネルギー伝播を低減するための電気的接地の施された保護スリーブにおいて、当該保護スリーブは、当該ボア内に挿入可能に位置付けできる遠位部分及びＭＲＤ開口へ取り付けできる近位部分を有しており、当該スリーブの長さ及び直径は、当該ボア内に挿入できる身体部分の非撮像対象部分を受け入れる一方で撮像対象部分は当該スリーブ遠位端から突き出たままとなるように適合されている、保護スリーブ、を開示することである。
【００１１】
[0010]本発明の別の目的は、開放ボアＭＲＤであって身体部分を撮像するための関心体積及び当該身体部分を当該ボア内に挿入するための入口開口を有する開放ボアＭＲＤに関連して、当該磁石ボアから当該磁石の周囲の外部環境への及びその逆の電磁エネルギー伝播を低減するための電気的接地の施された保護スリーブにおいて、当該ボアの外に位置付けできる近位部分及びＭＲＤ開口へ取り付けできる遠位部分を有している保護スリーブ、を開示することである。
【００１２】
[0011]本発明の別の目的は、ＭＲＤの磁石ボアから当該磁石の周囲の外部環境への及びその逆の電磁エネルギー伝播を低減するための方法において、次の段階、即ち、身体部分（ＩＢＰ）を撮像するための関心体積（ＶＯＩ）及び当該ＩＢＰを当該ＶＯＩ内に挿入するための入口開口を備えるように当該開放ボアを提供する段階と、身体の非撮像対象部分を受け入れる長さ及び直径を有する保護スリーブを提供する段階と、当該スリーブの近位端を当該開口へ取り付けておいてその遠位部分を当該ボア内に挿入する段階と、当該スリーブを接地接続する段階と、身体部分を、当該開口を通して、当該ＩＢＰが当該ＶＯＩ内で当該スリーブ遠位端から突き出るような具合に当該スリーブ内に挿入し、同ＩＢＰを撮像する段階と、によって特徴付けられる方法を開示することである。
【００１３】
[0012]本発明の更に別の目的は、ＭＲＤの磁石ボアから当該磁石の周囲の外部環境への及びその逆の電磁エネルギー伝播を低減するための方法において、次の段階、即ち、身体部分（ＩＢＰ）を撮像するための関心体積（ＶＯＩ）及び当該ＩＢＰを当該ＶＯＩ内に挿入するための入口開口を備えるように当該開放ボアを提供する段階と、身体の非撮像対象部分を受け入れる長さ及び直径を有する保護スリーブを提供する段階と、当該スリーブの遠位端を当該開口へ取り付けておいてその近位部分を当該ボアの外に位置付ける段階と、当該スリーブを接地接続する段階と、身体部分を当該スリーブ内に挿入し、当該開口を通して、当該ＩＢＰが当該スリーブ遠位端から突き出るような具合に前進させ、当該ＩＢＰを当該ＶＯＩ内に位置付け、同ＩＢＰを撮像する段階と、によって特徴付けられる方法を開示することである。
【００１４】
[0013]本発明の最後のもう１つの目的は、ＭＲＤの磁石ボア電気的断面を第１の断面（内在ＲＦシールド）からより小さい第２の断面（患者の手の断面）へ有効に縮小するための方法において、身体部分を当該ＭＲＤの開放ボア内に挿入する段階と、撮像させたくない少なくとも１つの第１の身体部分を備える非撮像対象身体部分及び撮像させたい少なくとも１つの第２の身体部分（ＩＢＰ）をＲＦ保護スリーブによって包む段階と、当該ＩＢＰの撮像中は当該スリーブの少なくとも１つの部分を接地接続し、それによりＲＦモードをＭＲＤのＲＦ作動周波数に関して縮退させる段階と、を備えている方法を開示することである。
【００１５】
[0014]本発明はここに単に一例として添付図面を参照しながら説明されている。
【図面の簡単な説明】
【００１６】
【図１】[0015]本発明の１つの実施形態による、ボア内に挿入可能に位置付けできるＲＦ保護スリーブを備える開放ボアＭＲＩ装置の前面図を概略的に描いている。
【図２】[0015]本発明の１つの実施形態による、ボア内に挿入可能に位置付けできるＲＦ保護スリーブを備える開放ボアＭＲＩ装置の側面図を概略的に描いている。
【図３】[0016]本発明の更に第２の実施形態による開放ＭＲＤ（１００）の側面図を、電気的接地（２１）の施された保護スリーブ（２２）に関連付けて概略的に描いている。
【図４】[0017]本発明の上記第２の実施形態の一例による開放ボアＭＲＤ（１００）の写真を示しており、スリーブ（２０）はＭＲＤの内側ボアの外に突き出ている。
【図５】[0018]本発明の更に進んだ実施形態によるＭＲＤ（１００）の側面図を、１つ又はそれ以上の電気的接地（２１）の施された保護部材（５１、５２）に関連付けて概略的に描いている。
【図６】[0019]本発明の１つの実施形態による止血帯様保護スリーブ（２０）の様々な断面及び部分を概略的に描いている。
【図７】[0019]本発明の１つの実施形態による止血帯様保護スリーブ（２０）の様々な断面及び部分を概略的に描いている。
【図８】[0020]本発明の第２の実施形態による保護スリーブ（ＭＲＩ手首システム）に関連付けて、Ａｓｐｅｃｔ  Ｉｍａｇｉｎｇ  Ｌｔｄ社（イリノイ州）によるＭ２型式ＭＲＩのフリンジ場５ガウスラインの側方視図を概略的に描いている。
【図９】[0020]本発明の第２の実施形態による保護スリーブ（ＭＲＩ手首システム）と関連付けて、Ａｓｐｅｃｔ  Ｉｍａｇｉｎｇ  Ｌｔｄ社（イリノイ州）によるＭ２型式ＭＲＩのフリンジ場５ガウスラインの上方視図を概略的に描いている。
【発明を実施するための形態】
【００１７】
[0021]次に続く説明は、本発明の全ての章に平行して、当業者が発明を利用できるようにするために提供されており、この発明を実施する形態として発明者によって企図される最良の形態を示している。とはいえ、本発明の一般原理は、ＭＲＤの磁石ボアから当該磁石の周囲の外部環境への及びその逆の電磁エネルギー伝播を低減するための、保護スリーブの様な手段及び方法を提供するべく具体的に定義されているので、当業者に自明のものとして様々な修正が適合される。
【００１８】
[0022]ここでは「約」という用語は±２５％内の値を指し示す。「ファラデーシールド」という用語は、これ以降、伝導性材料によって又はその様な材料のメッシュによって形成される、外在静電場及び非静電場を遮断する囲いを指す。「磁気フリンジ場」は、これ以降、当該ＭＲＩのボアの周囲の３つの直交磁気勾配の空間傾斜磁場であって強磁性物体への引き寄せ並進力を発生させる磁場を指す。当該ゾーン中の磁気は、３００−５ガウスの間であり、５ガウスラインで区切られている。（「ゾーン４」、図８及び図９を参照）。「ＲＦ」という用語は、これ以降、約３ｋＨｚから約３００ＧＨｚの範囲の高周波（ＲＦ）を指す。
【００１９】
[0023]これより図１及び図２を参照すると、本発明の１つの実施形態による開放ボアＭＲＩ装置（ＭＲＤ、例えばＭＲＩ手首システム１００）であって、１つ又はそれ以上の磁石（ここでは例えば永久磁石１３）及び所定の身体部分（３１）を撮像するための関心体積（１５）及び身体部分を当該ボア（１０）内に挿入するための入口開口（１１）と、当該磁石ボア（１０）からＭＲＤ（１００）の周囲の外部環境（２００）への及びその逆の電磁エネルギー伝播を低減するための電気的接地（２１）の施された保護スリーブ（２０）と、を備えている開放ボアＭＲＩ装置の前面図と側面図がそれぞれ縮尺合わせのされていない方式で概略的に描かれている。スリーブ（２０）は、ボア（１０）内に挿入可能に位置付けできる遠位部分（２３）及びＭＲＤ開口（１１）へ取り付けできる近位部分（２２）を備えており、スリーブの長さ及び直径は、ボア（１０）内に挿入可能な身体部分の非撮像対象部分（３２）を受け入れる一方で撮像対象部分（３１）はスリーブの遠位端（２３）から突き出たままとなるように適合されている。
【００２０】
[0024]次に図３を参照して、本発明の更に第２の実施形態による開放ボアＭＲＤ（１００）であって、身体部分（３１）を撮像するための関心体積（１５）及び身体部分（３１）をボア（１０）内に挿入するための入口開口（１１）と、磁石ボアから磁石の周囲の外部環境への及びその逆の電磁エネルギー伝播を低減するための電気的接地（２１）の施された保護スリーブ（２０）と、を有する開放ボアＭＲＤ（１００）の側面図が縮尺合わせのされていない方式で概略的に描かれている。スリーブ（２０）は、ボアの外に位置付けできる近位部分（２２ａ）及びＭＲＤ開口（１１）へ取り付けできる遠位部分（２３ａ）を備えている。
【００２１】
[0025]次に図４を参照すると、本発明の上記第２の実施形態の一例による開放ボアＭＲＤ（１００）の写真が示されている。スリーブ（２０）はＭＲＤの内側ボアの外に突き出ていて、ボアの入口開口（１１）へ接続されている。
【００２２】
[0026]次に図５を参照すると、本発明の更に進んだ実施形態によるＭＲＤ（１００）の側面図が縮尺合わせのされていない方式で概略的に描かれている。ＭＲＤは、身体部分を撮像するための関心体積（１５）と、袖、衣、帯体、輪体、つば、止血帯、タグ、クリップ、その他、の様な１つ又はそれ以上の電気的接地（２１）の施された保護部材（５１、５２）であって、各々が銅及び電気伝導ポリマーの様なＭＲＩ安全材料で作られている、保護部材（５１、５２）と、を有している。保護部材は、ＭＲＤ（１００）からＭＲＤの周囲の外部環境への及びその逆の電磁エネルギー伝播を低減するために有用として提供されている。部材５１及び５２の長さ及び直径の様な特性は、分析対象の身体部分の寸法の関数として設定される。２つ又はそれ以上の保護部材が電気伝導性材料によって相互接続されているという場合は本発明の範囲に入る。
【００２３】
[0027]次に図６及び図７を参照すると、止血帯様保護スリーブ（２０）の諸断面及び諸部分が概略的に描かれている。ここに一例として提供されているこの例では、スリーブ（２０）は、銅網又は何れかの他の電気伝導性材料を備えている層（１）、電気伝導性フック（２）、電気伝導性ループ（３）、布スリーブ（４）、伝導性糸（５）、外在保護接地システムへの接続のための外側伝導条片（６）、及び締結手段（７）、を備えている。
【００２４】
[0028]次に図８−図９を参照すると、本発明の第２の実施形態による保護スリーブ（ＭＲＩ手首システム）に関連付けて、Ａｓｐｅｃｔ  Ｉｍａｇｉｎｇ  Ｌｔｄ社（イリノイ州）によるＭ２型式ＭＲＩのフリンジ場５ガウスラインの側方視図及び上方視図がそれぞれ概略的に描かれている。
【００２５】
[0029]伝導性材料が銅網又はその電気伝導性層であるという場合は本発明の範囲に入る。更に、電気伝導性材料が、限定するわけではないが、銅、銀、又はアルミニウムの様な非磁性電気導体、ポリアセチレン、ポリアニリン、ポリピロール、ポリチオフェン、及びポリフェニレンの様な伝導性ポリマー、カーボンナノチューブ、カーボンブラック、グラファイトの様な炭素誘導体を備えている合成又は非合成繊維、無機伝導性材料を組み入れている布地、酸化スズ、硫化銅、ニッケルグラファイト、及びそれらの何れかの組み合わせ、から成る群より選択されているという場合は本発明の範囲に入る。
【００２６】
[0030]更に、電気伝導性材料又はその層が、反射される波長より有意に小さいサイズであるメッシュ又は編地の形態をしているという場合は本発明の範囲に入る。更に、保護部材が、次のもの、即ち、綿、ポリエステル、ナイロン、及び絹の様な布地又は織物の層、ケブラー（登録商標）、ノーメックス（登録商標）、テクノーラ（登録商標）、ベクトラン（登録商標）を含む高性能繊維、のうちの少なくとも１つを、当該円柱形器官へぴったり馴染ませるように備えているという場合は本発明の範囲に入る。更に、２層又はそれ以上の布地層が、流体源及びポンプへ流体接続されていて、流体を中に閉じ込めるように配置され、それにより布スリーブを当該器官の寸法にぴったり馴染むように止血帯式に展開させるという場合は本発明の範囲に入る。保護部材が、非撮像対象身体四肢のための有効な絶縁を提供するように設計されているという場合は本発明の範囲に入る。更に、ＩＥＣ６０６０１−１−２医用電気機器規格に則り電気伝導性ループが保護接地端子へ工具の支援無しには分離され得ないやり方で接続されているという場合は本発明の範囲に入る。更に、ＲＦ場効果が、次のもの、即ち、当該ＭＲＤ室の近傍からの電波及び被写体内部の核緩和によって発生するＲＦ電磁放射の様な外的ＲＦ、又は当該ＭＲＤの高周波送信システムからの内的ＲＦ、又はそれらの何れかの組合せ、のうちの１つ又はそれ以上によって引き起こされるという場合は本発明の範囲に入る。更に、保護部材が有効なファラデー遮蔽を提供し、而して、ＭＲＤの環境からＭＲＤのボアへの外的ＲＦの進入又はその逆の進入を防ぐバリアとして機能するという場合は本発明の範囲に入る。
【００２７】
[0031]更に、限定するわけではないが１つの例では、図１−図４に描かれ開示されている実施形態の何れかに示されている保護部材は、約１００ＭＨｚの周波数でのＭＲＤのボア内の内的ＲＦ場効果を有効に低減し、オーム組織加熱、導体の加熱、及び患者監視機器の干渉を排除し、及びその逆も同様に、保護ギアは内側ボア及びＭＲＤのＶＯＩに浸透するＭＲＤの環境の外的ＲＦ場効果を低減する。
【００２８】
[0032]限定するわけではないがここに提供される別の例では、図１−図４に描かれ開示されている実施形態の何れかに示されている保護部材は、ＭＲ走査中のＲＦ磁場に因る組織加熱を有効に排除し、１℃を超える温度上昇は制限され、及び局所加熱は、頭部で３８℃まで、体幹で３９℃まで、四肢で４０℃までに収められる。
【００２９】
[0033]限定するわけではないがここに提供される別の例では、図１−図４に描かれ開示されている実施形態の何れかに示されている保護部材は、次の値、即ち、全身に対し任意の１５分間について平均して４ワット／ｋｇ（患者が室温と湿度の関数として熱的に危うい場合は１．５ワット／ｋｇ）、頭部に対し任意の１０分間について平均して３．２ワット／ｋｇ、及び頭部の任意の１ｃｃ組織では５分亘って平均して８Ｗ／Ｋｇ、の値より下のＳＡＲ推奨レベルを有効に維持する。
【００３０】
[0034]限定するわけではないがここに提供される別の例では、図１−図４に描かれ開示されている実施形態の何れかに示されている保護部材は、ＭＲＩ室への入り口での磁気フリンジ場を、５ガウスラインと呼称される５ガウスに等しいか又はそれ以下となるように有効に維持する。
【００３１】
[0035]限定するわけではないがここに提供される別の例では、図１−図４に描かれ開示されている実施形態の何れかに示されている保護部材は、ＭＲ走査中のＲＦ加熱に起因する当該身体四肢での前記４０℃限界を超える温度上昇防止を有効に維持する。
【００３２】
[0036]限定するわけではないがここに提供される別の例では、図１−図４に描かれ開示されている実施形態の何れかに示されている保護部材は、つま先、指、手首、肘、足首、膝、頭の様な当該身体四肢、腹部、腹等の様な非身体四肢、及びそれらの何れかの組合せ、のうちの１つ又はそれ以上に馴染むように適合されている。
【００３３】
[0037]限定するわけではないがここに提供される別の例では、図１−図４に描かれ開示されている実施形態の何れかに示されている保護部材は、内側の大腿部対大腿部、ふくらはぎ対ふくらはぎ、手対手、手対身体、足首対足首の接触から成る群より選択される身体部位の皮膚対皮膚接触の分離手段を提供し、それにより身体の部分を通じた伝導性ループの形成を防ぐように適合されている。
【００３４】
[0038]限定するわけではないがここに提供される別の例では、図１−図４に描かれ開示されている実施形態の何れかに示されている保護部材は、当該身体四肢がＲＦ送信コイル表面に当たって置かれるのを防止するための手段を提供するように適合されている。
【００３５】
[0039]限定するわけではないがここに提供される別の例では、図１−図４に描かれ開示されている実施形態の何れかに示されている保護部材は、ＭＲＩシステムについてのＮＥＭＡ  ＭＳ−８−２００６に準拠したＳＡＲを提供するように適合されている。
【００３６】
[0040]限定するわけではないがここに提供される別の例では、図１−図４に描かれ開示されている実施形態の何れかに示されている保護部材は、その中の身体の開口部に馴染むように適合され適合されている。
【００３７】
[0041]限定するわけではないがここに提供される別の例では、図１−図４に描かれ開示されている実施形態の何れかに示されている保護部材は、次のもの、即ち、布スリーブを備えるスリーブ様器官適応式製造品（１）、中間伝導層（２）、外側誘電性層（３）、外側伝導条片（４）、を備えており、当該布スリーブは身体四肢に適応するように調節でき、当該中間伝導層は当該布スリーブに設置され／当該布スリーブに縫い付けられ／当該布スリーブを取り囲み、当該外側誘電性層は当該中間伝導層に設置され／当該中間導電層に縫い付けられ／当該中間導電層を取り囲み、及び当該外側伝導条片は前記中間伝導層との少なくとも１つの接点及び外在接地システム（５）への少なくとも１つの接点を有して当該外側誘電性層へ締結されている。
【００３８】
[0042]限定するわけではないがここに提供される別の例では、図１−図４に描かれ開示されている実施形態の何れかに示されている保護部材は、電気及び機械安全（ＩＥＣ６０６０１−１）基本的安全及び必須性能についての一般要求事項を適用している。
【００３９】
[0043]限定するわけではないがここに提供される別の例では、図１−図４に描かれ開示されている実施形態の何れかに示されている保護部材は、電磁互換性（ＩＥＣ６０６０１−１−２）基本的安全及び必須性能についての一般要求事項、副通則：電磁互換性、要求事項及び試験、を適用している。
【００４０】
[0044]限定するわけではないがここに提供される別の例では、図１−図４に描かれ開示されている実施形態の何れかに示されている保護部材は、ＩＥＣ６０６０１−２−３３医用電気機器、第２−３３部：医学的診断のための磁気共鳴機器の基本的安全及び必須性能についての特定要求事項（２００７年（第２版）＋Ａ１：２００５年＋Ａ２：２００７年）を適用している。
【００４１】
[0045]限定するわけではないがここに提供される別の例では、図１−図４に描かれ開示されている実施形態の何れかに示されている保護部材は、診断用磁気共鳴撮像装置についての音響的ノイズ測定手続を適用している。
【００４２】
[0046]限定するわけではないがここに提供される別の例では、図１−図４に描かれ開示されている実施形態の何れかに示されている保護部材は、ＮＥＭＡ  ＭＳ８（２００６年）のＭＲＩシステムについての比吸収率（ＳＡＲ）の特徴付けを適用している。
【００４３】
[0047]限定するわけではないがここに提供される別の例では、図１−図４に描かれ開示されている実施形態の何れかに示されている保護部材は、ＮＥＭＡ  ＭＳ１０−２００６の診断的磁気共鳴撮像法での局所比吸収率（ＳＡＲ）の測定を適用している。
【００４４】
[0048]限定するわけではないがここに提供される別の例では、図１−図４に描かれ開示されている実施形態の何れかに示されている保護部材は、ＮＥＭＡ  ＭＳ１１−２００６の診断的磁気共鳴撮像法での勾配誘導電場の測定を適用している。
【００４５】
[0049]限定するわけではないがここに提供される別の例では、図１−図４に描かれ開示されている実施形態の何れかに示されている保護部材は、ＩＥＣ６０６０１−２−３３医用電気機器、第２−３３部：医学的診断のための磁気共鳴機器の基本的安全及び必須性能についての特定要求事項（２００７年（第２版）＋Ａ１：２００５年＋Ａ２：２００７年）を適用している。
【符号の説明】
【００４６】
１  銅網又は電気伝導性材料層
２  電気伝導性フック
３  電気伝導性ループ
４  布スリーブ
５  伝導性糸
６  外側伝導条片
７  締結手段
１０  ボア
１１  入口開口
１３  永久磁石
１５  関心体積
２０  保護スリーブ
２１  電気的接地
２２、２２ａ  保護スリーブの近位部分
２３、２３ａ  保護スリーブの遠位部分
３１  撮像対象身体部分
３２  非撮像対象身体部分
５１、５２  保護部材
１００  ＭＲＤ（ＭＲＩ装置）
２００  外部環境
【図１】
0006437932.tif 000002
【図２】
0006437932.tif 000003
【図３】
0006437932.tif 000004
【図４】
0006437932.tif 000005
【図５】
0006437932.tif 000006
【図６】
0006437932.tif 000007
【図７】
0006437932.tif 000008
【図８】
0006437932.tif 000009
【図９】
0006437932.tif 000010